(57)【要約】【課題】  機体の側部に備えた肥料タンク内の流動性肥料を機体の左右中央部の肥料送出装置を介して圃場に施肥するように構成された施肥機において、上記肥料タンクの外側部位への増量タンクの着脱が迅速・容易で、且つ流動性肥料の流れが円滑となる施肥機を得る。【解決手段】  肥料タンクの外側部位に、増量タンクの肥料排出管を接続する接続部を設けた。  また、肥料タンクの下側部に幅狭部を構成し、該幅狭部の外側面に接続部を突出形成した。【選択図】        図３
2005102552.tif 000002
【特許請求の範囲】
【請求項１】
機体の側部に備えた肥料タンク内の流動性肥料を機体の左右中央部の肥料送出装置を介して圃場に施肥するように構成された施肥機において、上記肥料タンクの外側部位に、増量タンクの肥料排出管を接続する接続部を設けたことを特徴とする施肥機。
【請求項２】
肥料タンクの下部に幅狭部を構成し、該幅狭部の機体外側面に接続部を突出形成した請求項１記載の施肥機。
【発明の詳細な説明】
【技術分野】
【０００１】
本発明は、圃場に流動性肥料を施肥する施肥機であって、特に肥料タンクに別途増量タンクを接続可能なものに関する。
【背景技術】
【０００２】
従来、この種の液状肥料又はペースト肥料等の流動性肥料を施肥する施肥機において、メインの肥料タンクとは別に増量タンクを設けることを可能とした技術は、既に知られている（例えば、特許文献１参照。）。
【特許文献１】実公平８−８５８１号公報（第２，３頁、図１〜２，４）
【発明の開示】
【発明が解決しようとする課題】
【０００３】
しかしながら、従来公知の上記特許文献１に記載のものは、メインの肥料タンクから機体の下方内側を通って施肥ポンプ迄連通する肥料配管の中途部で、機体側部の増量タンクの排出管を合流させるようにしていたので、そのための配管や増量タンクの排出管の着脱が複雑となる等の課題があった。
本発明の目的は、上記従来の不具合を改善する点にある。
【課題を解決するための手段】
【０００４】
上記目的を達成するため、本発明においては、機体の側部に備えた肥料タンク内の流動性肥料を機体の左右中央部の肥料送出装置を介して圃場に施肥するように構成された施肥機において、上記肥料タンクの外側部位に、増量タンクの肥料排出管を接続する接続部を設けたことを第１の特徴とする。
【０００５】
また、肥料タンクの下部に幅狭部を構成し、該幅狭部の機体外側面に接続部を突出形成したことを第２の特徴とする。
【発明の効果】
【０００６】
肥料タンクの外側部位に、増量タンクの肥料排出管を接続する接続部を設けたので、肥料タンクの肥料排出管への増量タンク側の肥料排出管の着脱が、機体の外方で迅速・容易に行えて作業性が良くなるばかりか、必要とする肥料排出管の長さが短くて済むものである。
また、上記接続部は、肥料タンクの下部に幅狭部を構成し、該幅狭部の機体外側面に突出形成したので、増量タンクを装着しない状態で作業するような場合でも、上記接続部はメインの肥料タンクの外端部によって保護されており、破損が防止される。
【発明を実施するための最良の形態】
【０００７】
機体の側部に備えた肥料タンク内の流動性肥料を機体の左右中央部の肥料送出装置を介して圃場に施肥するように構成された施肥機において、上記肥料タンクの下部に幅狭部を構成し、該幅狭部の機体外側面に増量タンクの肥料排出管を接続する接続部を突出形成した施肥機。
【実施例】
【０００８】
本発明の実施例を以下図面に基づいて説明する。
図１は、本発明の施肥機を実施する乗用田植機の全体側面図、図２は同上平面図であって、図中の１は乗用車体を示し、その後部にある昇降リンク２を介して後方に田植装置３を備えたものである。
先ず、乗用車体１は通常の乗用田植機と同様に、左右一対の前輪４，４と後輪５，５とを備え、前部中央のボンネット６内部にエンジン７を、その左右両側には棚状の補助苗載台８，８を設け、その後方中央に操向用のハンドル９等を備え、乗用車体１の略中央に座席１０を備えている。
【０００９】
次に、後方の田植装置３について説明するに、１２は前高後低状で複数条の縦桟で仕切られた苗載台であって、その各植付苗条毎に苗植付装置１３・・・等が備えられていると共に、それらの下方には複数個のフロート１４・・・が備えられており、上記苗植付装置１３により苗載台１２上のマット状苗を切断しながら、１株分づつの苗を圃場上に植付けるように構成されている。
【００１０】
一方、該乗用田植機は、上記苗植付けと同時に植付けた苗条間に流動性肥料の一例であるぺースト肥料を施肥するようになっており、その詳細は後述するが、乗用車体１の前部にあるボンネット６の左右の両ステップ１５，１５の下部にメインの肥料タンク１６，１６を内蔵し、両肥料タンク１６，１６から肥料排出管１７（図３参照）が上記乗用車体１の左右中央下部に位置する施肥ポンプ１８（肥料送出装置）に連結されていて、該施肥ポンプ１８の駆動により上記肥料タンク１６内の肥料を、各苗植付条毎にホース１９・・・で後方に送出し、各ノズル２０・・・の先端より圃場内に施肥するようになっている。
なお、座席１０後方に設けられた２１は、各条毎の管路をホース１９・・・を介して肥料を圃場に施用する状態と、圃場に施用せずに肥料タンク１６，１６内へを肥料を返送する状態に切り換える切換装置である。
【００１１】
次に、図３は要部の平断面図であって、上記左右の肥料タンク１６，１６は、左右の連通管２３により連結されており、前部中央の肥料供給口２４から供給されたペースト肥料は、矢印Ａ，Ａに沿って左右の肥料タンク１６，１６内に略均等に流れ込むものである。
また、肥料タンク１６は、その後部の下端部に幅狭部２５を構成しており、該幅狭部２５の両内側面に肥料排出管連結口１７ａ，１７ａが突出形成されており、夫々に上記肥料排出管１７，１７を被嵌して接続し、機体下中央部で左右の肥料排出管１７，１７が合流して、単一の肥料排出管１７となって、肥料ポンプ１８に連結されている。
従って、左右の肥料タンク１６，１６からのペースト肥料は矢印Ｂ，Ｂに沿って流れ、合流後に矢印Ｃに沿って肥料ポンプ１８に導かれる。
【００１２】
また、上記両幅狭部２５，２５の両内側肥料排出管連結口１７ａ，１７ａと反対の外側側面には、後述する増量タンク２６，２６連結用の接続部２７，２７が夫々突出形成されており、増量タンク２６を装着しない時には、別途の蓋を被嵌して締付具３７で固定することで接続部２７，２７を夫々塞ぐようになっている。
即ち、特に大きな圃場での作業を行う場合等、一度により多量の肥料を収納したい場合は上記メインの肥料タンク１６，１６とは別に増量タンク２６を装着可能にしているのである。
【００１３】
そして、２８は上記増量タンク２６の底部に連結された肥料排出管であって、増量タンク２６を搭載する際には、後述する取付ステー３６に増量タンク２６を装着した後、上記肥料排出管２８の先端側を上記接続部２７に被嵌した後、締付具３７で固定して連結することで、増量タンク２６内のペースト肥料が肥料タンク１６の幅狭部２５を介して肥料排出管１７内に流れるようになっている。
【００１４】
また、増量タンク２６の詳細については図４乃至図７で詳述するが、中央の大きな円形状の２６ａは肥料供給口であって、該肥料供給口２６ａは、肥料の供給時以外は夫々の蓋で覆われている。
なお、３０は乗用車体１のトランスミッションケース、３１は機体フレーム、３２はフロントアクスルケース、３３はステップフレームであり、３４は肥料のドレンホースを夫々示す。
【００１５】
次に、図４、図５、および図６は増量タンク部分（乗用車体１の左側装着）の詳細を示し、図４は正面図、図５は側面図、図６は平面図、また、図７は反対側（乗用車体１の右側装着）の増量タンクの平面図を夫々示す。
先ず、図４において、機体フレーム３１の端部に取付ステー３６を介して片側の増量タンク２６が取付けられ、メインである肥料タンク１６と連結する場合には、その漏斗状下端部の排出口２６ｂに装着された肥料排出管２８の先端側が上記肥料タンク１６の接続部２７に連結されるものである。
【００１６】
また、図５において、増量タンク２６の上部中央にある肥料供給口２６ａの左側（機体の前方）の２６ｃは、肥料の残量センサ（図示なし）等の取付口であり、右側（機体の後方）の２６ｄは、増量タンク２６のエアブリーザを夫々示す。
そして、このことは図６にても明白である。
なお、反対側（乗用車体１の右側装着）の増量タンク２６の図７において、当実施例では増量タンク２６及び肥料排出管２８が上記左側装着の平面図である図６のものと、左右対称に構成されていないが、これは同一の増量タンク２６を採用したためで、左右を対称に構成しても良いものであることは勿論である。
【００１７】
従って、以上の構成によれば、増量タンク２６の着脱に当たっては、先ず、取付ステー３６に装着した増量タンク２６を機体フレーム３１に装着した後、肥料タンク１６の幅狭部２５の外側面に突出形成された接続部２７に装着された蓋を外してから、増量タンク２６の下部に設けた肥料排出管２８の先端側を、肥料タンク１６の接続部２７に、機体の外方より迅速容易に着脱する丈で良いので、着脱のための作業性が良くなるものである。
また、増量タンク２６の流動性肥料は、上部中央の肥料供給口２６ａより供給されて、下方の肥料排出管２８を通り、肥料タンク１６の肥料排出管１７と一直線状に流れるため、肥料の流れが円滑になると共に、これらの連結に要する肥料排出管２８の長さが短くて済むものである。
【００１８】
更に、肥料タンク１６はその下部側を切欠いて幅狭部２５に形成しているので、切欠スペースを有効利用して接続部２７が突出形成することができ、接続部２７への肥料管の接続、および増量タンク２６を設けない場合の被蓋を一層容易に行うことができ、増量タンク２６を装着しない状態で作業したり、納屋等に収納する場合でも、その接続部２７は肥料タンク１６の外端部によって保護されるので、破損するようなことが防止されるものである。
【図面の簡単な説明】
【００１９】
【図１】乗用田植機の全体側面図である。
【図２】同上全体平面図である。
【図３】要部の平断面図である。
【図４】増量タンク部分の正面図である。
【図５】同上側面図である。
【図６】同上平面図である。
【図７】反対側の増量タンクの平面図を夫々示す。
【符号の説明】
【００２０】
１  乗用車体
３  田植装置
１６  肥料タンク
１７，２８  肥料排出管
１８  肥料ポンプ
２５  幅狭部
２６  増量タンク
２７  接続部
３６  取付ステー
【図１】
2005102552.tif 000003
【図２】
2005102552.tif 000004
【図３】
2005102552.tif 000005
【図４】
2005102552.tif 000006
【図５】
2005102552.tif 000007
【図６】
2005102552.tif 000008
【図７】
2005102552.tif 000009